【事件の表示】
　特願２００９−２２３８１８「マルチメディア装置、画面表示方法」拒絶査定不服審判事件〔平成２３年　６月　２日出願公開、特開２０１１−１０７７３６〕について、次のとおり審決する。
【結　論】
　本件審判の請求は、成り立たない。
【理　由】
第１　手続の経緯
　本願は、平成２１年９月２９日の出願であって、平成２２年１月２８日付けで手続補正がなされ、同年６月１４日付け拒絶理由通知に対して、同年８月１１日付けで手続補正がなされたが、平成２３年１月１９日付けで拒絶査定がなされ、これに対して、同年４月２１日に拒絶査定不服審判が請求され、同時に手続補正がなされたものである。
　
　
第２　補正の却下の決定
［結論］
　平成２３年４月２１日付け手続補正（以下、「本件補正」という。）を却下する。
　
［理由］
（ａ）補正の内容
　本件補正によると、その特許請求の範囲の請求項４は、
「左側に表示される、音声系の機能の操作内容を示す複数の項目を含む音声系メニュー、又は右側に表示される、映像系の機能の操作内容を示す複数の項目を含む映像系メニュー、に含まれる複数の項目のうち前記機能の主な操作内容を示す第１の項目が選択された場合に、当該第１の項目のより詳細な操作内容を示す第２の項目を当該第１の項目と併せて表示させ、
　当該第１の項目が選択されている状態において、操作部による他のメニューへの移動操作を受け付けた場合に、当該他のメニューに含まれる複数の第１の項目のうち前記選択された第１の項目に対応する第１の項目を選択した状態で表示させ、
　前記第１の項目が選択されているメニュー、当該選択されているメニューに含まれる前記第１の項目、及び当該選択されているメニューが前記音声系メニューであるか前記映像系メニューであるかを判別させる表示を、前記第１の項目が選択されていないメニュー、当該選択されていないメニューに含まれる前記第１の項目、及び当該選択されていないメニューが前記音声系メニューであるか前記映像系メニューであるかを判別させる表示よりも大きく表示させることを特徴とする画面表示方法。」
と補正されている。
　
　上記補正は、本件補正前の請求項６に記載した発明を特定するために必要な事項である「装置が備える機能の操作内容を示す複数の項目を含む複数のメニューのうち一のメニューに含まれる複数の項目」を、「左側に表示される、音声系の機能の操作内容を示す複数の項目を含む音声系メニュー、又は右側に表示される、映像系の機能の操作内容を示す複数の項目を含む映像系メニュー、に含まれる複数の項目」と限定し、さらに、「画面表示方法」を、「前記第１の項目が選択されているメニュー、当該選択されているメニューに含まれる前記第１の項目、及び当該選択されているメニューが前記音声系メニューであるか前記映像系メニューであるかを判別させる表示を、前記第１の項目が選択されていないメニュー、当該選択されていないメニューに含まれる前記第１の項目、及び当該選択されていないメニューが前記音声系メニューであるか前記映像系メニューであるかを判別させる表示よりも大きく表示させる」と限定するものである。
　したがって、本件補正は、特許法第１７条の２第５項第２号に規定する特許請求の範囲の減縮を目的とするものに該当するといえる。
　そこで、本件補正後の前記請求項４に記載された発明（以下、「本願補正発明」という。）が、特許出願の際独立して特許を受けることができるものであるか（特許法第１７条の２第６項において準用する同法第１２６条第５項の規定に適合するか）否かについて以下検討する。
　
（ｂ）引用例
　原査定の拒絶の理由に引用された特開２００６−３１５６０号公報（平成１８年２月２日公開。以下、「引用例」という。）には、図面とともに次の記載がある。
　
（イ）「【００１２】
　情報処理装置１のパワーボタン操作に伴う電源投入に伴い、表示装置１０６には、後述するランチャープログラムの制御の下に、機能を割り付けたアイコンをカテゴリ別に配列したランチャー機能の操作画面２２が表示される。このランチャー機能の操作画面を以下ランチャー画面と称す。
【００１３】
　このランチャー画面２２には、現在起動可能な機能（現在、既にインストールされていて起動可能なアプリケーション）を割り付けたアイコンがカテゴリ別に配列される。ここではカテゴリ分け（グループ分け）の例として、Ａ／Ｖ機能を対象に「テレビ」「ビデオ」「音楽」「写真」「デモ」のカテゴリに分け、その各カテゴリ毎に機能選択のためのアイコンＩs が配置されている。このアイコンＩs は、例えばキーボードユニット１１２に設けられた上下左右の方向を指示する矢印キーＫａ，Ｋｂ，Ｋｃ，Ｋｄ、若しくはポインティングデバイス１４の操作に伴うマウスカーソル、若しくは後述するリモートコントローラに設けられた上下左右の方向を指示するボタン（図３の符号２２１〜２２４参照）等により操作（指示）されると、その操作された（操作位置上にある）アイコンが属するカテゴリのすべてのアイコンがアクティブ対象アイコンとなり、当該アイコンの大きさが基本サイズ（第１サイズ）より一回り大きいサイズ（第２サイズ）に変更される。さらに上記操作位置にあるアイコンがアクティブアイコンとなり、第２サイズよりさらに一回り大きいサイズ（第３サイズ）に変更される。このようにランチャー画面２２上のアイコンは操作手段の操作に応じて、基本サイズ（第１サイズ）のアイコンＩs から、それより一回り大きい第２サイズのアイコンＩm 、さらに第２サイズのアイコンＩm より一回り大きい第３サイズのアイコンＩL へと変化する。これらサイズの異なる各アイコンＩs ，Ｉm ，ＩL はそれぞれ輝度差をもって表示される。ここでは基本サイズ（第１サイズ）のアイコンＩs が最も暗く、第３サイズのアイコンＩL が最も明るい輝度で表示される。第２サイズのアイコンＩm は基本サイズ（第１サイズ）のアイコンＩs と第３サイズのアイコンＩL の中間の輝度で表示される。上記第３サイズのアイコンＩL は当該アイコンがアクティブなアイコンであることを示し、当該アイコンが例えばキーボードユニット１１２上の「Enter」キー等により選択操作されると、当該アイコンに割り付けられた機能が実行開始される。また第２サイズのアイコンＩm は当該アイコンがアクティブ対象アイコンであることを示し、例えばキーボードユニット１１２上の上下の方向を指示する矢印キーＫａ，Ｋｂの操作でアクティブアイコン（第３サイズのアイコンＩL ）に変化する。また、キーボードユニット１１２上の左右の方向を指示する矢印キーＫｃ，Ｋｄの操作で操作対象となるカテゴリを切り替えることができ、操作対象となったカテゴリの各アイコンがアクティブアイコン（第３サイズのアイコンＩL ）若しくはアクティブ対象アイコン（第２サイズのアイコンＩm ）となる。さらにこの実施形態では操作対象となったカテゴリのアイコン配列領域が、上から光が射し込むようにスポット照明され、非アクティブ状態にあるカテゴリ領域が暗くなるように輝度差をもって表示される。」（段落【００１２】−【００１３】）
　
（ロ）「【００３６】
　例えば図７に示すランチャー画面２２では、「音楽」カテゴリの「音楽ＣＤを聴く」アイコンが第３サイズのアクティブアイコンであり、「音楽」カテゴリの「音楽を聴く（ａ）」アイコン、「音楽を聴く（ｂ）」アイコン、「ミュージックフォルダを開く」アイコンがそれぞれ第２サイズのアクティブ対象アイコンである。この図７に示すランチャー画面２２の表示状態下に於いて、例えばキーボードユニット１１２に設けられた「↑」キーＫａが操作されるとアクティブアイコンは移動しないが、「↓」キーＫｂが操作されると第３サイズのアクティブアイコンが「音楽ＣＤを聴く」アイコンから順に下方向に配列されたアイコンに移動し、例えば図８に示すように第３サイズのアクティブアイコンを「ミュージックフォルダを開く」アイコンへ移動させることができる。尚、図７に示すランチャー画面２２の表示状態下に於いて、「↑」キーＫａが操作されたとき、アクティブアイコンが「音楽ＣＤを聴く」アイコンのままでなく、図８に示すように同じカテゴリの一番下の「ミュージックフォルダを開く」アイコンに移動（スクロール）するようにしてもよい。
【００３７】
　また、例えば図７に示すランチャー画面２２の表示状態下に於いて、例えばキーボードユニット１１２に設けられた「→」キーＫｄが操作されると（図５ステップＳ２８）、アクティブなカテゴリが、図９に示すように、画面の右方向に位置する「写真」カテゴリに移行する（図５ステップＳ２９）。この際はフォーカスの対象も「音楽」カテゴリから「写真」カテゴリに切り替わり、アクティブな「写真」カテゴリに対して、当該カテゴリに属するすべてのアイコンが基本サイズより一回り大きい第２サイズに変更され（図５ステップＳ２１）、予め定められたデフォルトアイコンが第２サイズよりさらに一回り大きい第３サイズに変更されて（図５ステップＳ２２）、上記したデフォルト画面のときと同様に各アイコンに対し、サイズに応じて輝度差がつけられる。
【００３８】
　また図７に示すランチャー画面２２の表示状態下に於いて、例えばキーボードユニット１１２に設けられた「←」キーＫｃが操作されると（図５ステップＳ２８）、アクティブなカテゴリが、図１０に示すように、画面の左方向に位置する「ビデオ」カテゴリに移行する（図５ステップＳ２９）。この際もフォーカスの対象が「音楽」カテゴリから「写真」カテゴリに切り替わり、そのアクティブカテゴリの移行に伴うアクティブアイコン並びにアクティブ対象アイコンの変更処理（図５ステップＳ２１，Ｓ２２）が実行される。この「ビデオ」カテゴリがアクティブになった図１０に示すランチャー画面２２の状態で、例えばキーボードユニット１１２上の「Ｅｎｔｅｒ」キーが操作されると（図５ステップＳ２４）、「ＤＶＤを観る」アイコンに割り付けられたＤＶＤ再生機能が即実行される（図５ステップＳ２５）。また図１０に示すランチャー画面２２の表示状態下に於いて、例えばキーボードユニット１１２に設けられた「↓」キーＫａが操作されると（図５ステップＳ２６）、図１１に示すように、第３サイズのアクティブアイコンが「ＤＶＤを観る」アイコンから「ビデオを観る」アイコンに移動する（図５ステップＳ２７）。また図１０に示すランチャー画面２２の表示状態下に於いて、例えばキーボードユニット１１２に設けられた「←」キーＫｃが操作されると（図５ステップＳ２８）、アクティブなカテゴリが、図１２に示すように、画面の左方向に位置する「テレビ」カテゴリに移行する（図５ステップＳ２９）。尚、ランチャー画面２２が表示されている状態で、ランチャー機能の処理に関係しないキー入力操作があった場合（図５ステップＳ３０）は、そのキー入力コマンドに従う処理に移行する。」（段落【００３６】−【００３８】）
　
（ハ）【図１】及び【図７】乃至【図１２】には、Ａ／Ｖ機能のカテゴリ分けとして、左側から順に「テレビ」、「ビデオ」、「音楽」、「写真」及び「デモ」の文字が並んでおり、カテゴリを示すそれぞれの文字の下に、当該カテゴリを判別させるための表示があり、さらにその下にカテゴリ毎に機能選択のための複数のアイコンが配置されることが開示されている。また、カテゴリを判別するための表示は、当該カテゴリがアクティブになったときに、アクティブとなっていない他のカテゴリを判別するための表示よりも大きく表示されることも開示されている。
　
（ニ）【図７】には、「音楽」カテゴリがアクティブで、機能選択のための複数のアイコンのうち「音楽ＣＤを聴く」アイコンがアクティブアイコンとなった状態が示されている。
　
（ホ）【図９】には、アクティブなカテゴリが、画面の右方向に位置する「写真」カテゴリに移行したときに、機能選択のための複数のアイコンのうち、「音楽」カテゴリの「音楽ＣＤを聴く」に対応する位置の「写真を観る」アイコンがアクティブアイコンとなることが開示されている。
　
（ヘ）【図１０】には、アクティブなカテゴリが、画面の左方向に位置する「ビデオ」カテゴリに移行したときに、機能選択のための複数のアイコンのうち、「音楽」カテゴリの「音楽ＣＤを聴く」に対応する位置の「ＤＶＤを観る」アイコンがアクティブアイコンとなることが開示されている。
　
　したがって、引用例には、次の発明（以下、「引用発明」という。）が開示されているものと認められる。
「Ａ／Ｖ機能のカテゴリ分けとして、左側から順に「テレビ」、「ビデオ」、「音楽」、「写真」及び「デモ」の文字が並んでおり、カテゴリを示すそれぞれの文字の下に、当該カテゴリを判別させるための表示があり、さらにその下にカテゴリ毎に機能選択のための複数のアイコンが配置されており、カテゴリを判別させるため表示は、当該カテゴリがアクティブになったときに、アクティブとなっていない他のカテゴリを判別させる表示よりも大きく表示され、
　機能選択のための複数のアイコンは、アクティブカテゴリ以外のカテゴリにあるものは、第１サイズで表示され、アクティブカテゴリのアクティブアイコン以外のアイコン（アクティブ対象アイコン）は、第１サイズより一回り大きい第２サイズで表示され、アクティブアイコンは第２サイズよりも一回り大きい第３サイズで表示され、
　「音楽」カテゴリがアクティブで、かつ機能選択のための複数のアイコンのうち「音楽ＣＤを聴く」アイコンがアクティブアイコンとなった状態で、「→」キーが操作されると、アクティブなカテゴリが、画面の右方向に位置する「写真」カテゴリに移行し、機能選択のための複数のアイコンのうち、「音楽」カテゴリの「音楽ＣＤを聴く」に対応する位置の「写真を観る」アイコンがアクティブアイコンとなり、
　「音楽」カテゴリがアクティブで、かつ機能選択のための複数のアイコンのうち「音楽ＣＤを聴く」アイコンがアクティブアイコンとなった状態で、「←」キーが操作されると、アクティブなカテゴリが、画面の左方向に位置する「ビデオ」カテゴリに移行し、機能選択のための複数のアイコンのうち、「音楽」カテゴリの「音楽ＣＤを聴く」に対応する位置の「ＤＶＤを観る」アイコンがアクティブアイコンとなる
　ランチャー画面の表示方法。」
　
　
（ｃ）対比
　本願補正発明と引用発明とを対比する。
（１）引用発明の「ランチャー画面の表示方法」は、本願補正発明の「画面表示方法」に相当する。
（２）引用発明の「Ａ／Ｖ機能のカテゴリ」は、本願補正発明の「音声系メニュー」及び「映像系メニュー」と「Ａ／Ｖ系メニュー」である点で共通しているといえる。また、引用発明の「機能選択のための複数のアイコン」は、「ＣＤを聴く」や「ＤＶＤを観る」など機能の操作内容を示すものである。よって、引用発明の「機能選択のための複数のアイコン」は、本願補正発明の「機能の操作内容を示す複数の項目」に相当する。
　よって、引用発明は、本願補正発明の「左側に表示される、音声系の機能の操作内容を示す複数の項目を含む音声系メニュー、又は右側に表示される、映像系の機能の操作内容を示す複数の項目を含む映像系メニュー、に含まれる複数の項目のうち前記機能の主な操作内容を示す第１の項目が選択された場合に、当該第１の項目のより詳細な操作内容を示す第２の項目を当該第１の項目と併せて表示させ」と、機能の操作内容を示す複数の項目を含む複数のＡ／Ｖ系メニューに含まれる複数の項目のうち、いずれかの項目を選択することができる点で共通しているといえる。
（３）引用発明では、「音楽」カテゴリがアクティブで、かつ機能選択のための複数のアイコンのうち「音楽ＣＤを聴く」アイコンがアクティブアイコンとなった状態で、「→」キーが操作されると、アクティブなカテゴリが、画面の右方向に位置する「写真」カテゴリに移行し、機能選択のための複数のアイコンのうち、「音楽」カテゴリの「音楽ＣＤを聴く」に対応する位置の「写真を観る」アイコンがアクティブアイコンとなり、また、同じ状態で、「←」キーが操作されると、アクティブなカテゴリが、画面の左方向に位置する「ビデオ」カテゴリに移行し、機能選択のための複数のアイコンのうち、「音楽」カテゴリの「音楽ＣＤを聴く」に対応する位置の「ＤＶＤを観る」アイコンがアクティブアイコンとなる。
　よって、引用発明は、本願補正発明の「当該第１の項目が選択されている状態において、操作部による他のメニューへの移動操作を受け付けた場合に、当該他のメニューに含まれる複数の第１の項目のうち前記選択された第１の項目に対応する第１の項目を選択した状態で表示させ」と、当該項目が選択されている状態において、操作部による他のメニューへの移動操作を受け付けた場合に、当該他のメニューに含まれる複数の項目のうち前記選択された項目に対応する項目を選択した状態で表示させている点で共通しているといえる。
（４）引用発明では、機能選択のための複数のアイコンは、アクティブカテゴリ以外のものは、第１サイズで表示され、アクティブカテゴリのアクティブアイコン以外のアイコン（アクティブ対象アイコン）は、第１サイズより一回り大きい第２サイズで表示され、アクティブアイコンは第２サイズよりも一回り大きい第３サイズで表示されている。また、カテゴリを判別させるための表示は、当該カテゴリがアクティブになったときに、アクティブとなっていない他のカテゴリを判別させるための表示よりも大きく表示されている。
　よって、引用発明は、本願補正発明の「前記第１の項目が選択されているメニュー、当該選択されているメニューに含まれる前記第１の項目、及び当該選択されているメニューが前記音声系メニューであるか前記映像系メニューであるかを判別させる表示を、前記第１の項目が選択されていないメニュー、当該選択されていないメニューに含まれる前記第１の項目、及び当該選択されていないメニューが前記音声系メニューであるか前記映像系メニューであるかを判別させる表示よりも大きく表示させる」と、機能の操作内容を示す項目が選択されているメニュー、当該選択されているメニューに含まれる前記項目、及び当該選択されているメニューがいずれのメニューであるかを判別させる表示を、前記項目が選択されていないメニュー、当該選択されていないメニューに含まれる前記項目、及び当該選択されていないメニューがいずれのメニューであるかを判別させる表示よりも大きく表示させる点で共通しているといえる。
　
　したがって、本願補正発明と引用発明との一致点・相違点は、次のとおりである。
＜一致点＞
「機能の操作内容を示す複数の項目を含む複数のＡ／Ｖ系メニューに含まれる複数の項目のうち、いずれかの項目を選択することができ、
　当該項目が選択されている状態において、操作部による他のメニューへの移動操作を受け付けた場合に、当該他のメニューに含まれる複数の項目のうち前記選択された項目に対応する項目を選択した状態で表示させ、
　前記項目が選択されているメニュー、当該選択されているメニューに含まれる前記項目、及び当該選択されているメニューがいずれのメニューであるかを判別させる表示を、前記項目が選択されていないメニュー、当該選択されていないメニューに含まれる前記項目、及び当該選択されていないメニューがいずれのメニューであるかを判別させる表示よりも大きく表示させることを特徴とする画面表示方法。」
　
＜相違点１＞
　本願補正発明は、複数のＡ／Ｖ系メニューが、左側に表示される音声系メニューと右側に表示される映像系メニューであり、また、選択されているメニューがいずれのメニューであるかを判別させる表示が、音声系メニューであるか映像系メニューであるかを判別させる表示であるのに対して、引用発明では、複数のＡ／Ｖ系メニューが、左側から順に「テレビ」、「ビデオ」、「音楽」、「写真」及び「デモ」であり、選択されているメニューがいずれのメニューであるかを判別させる表示が、「テレビ」、「ビデオ」、「音楽」、「写真」及び「デモ」のカテゴリを判別させるための表示である点。
　
＜相違点２＞
　本願補正発明は、機能の操作内容を示す複数の項目が、機能の主な操作内容を示す第１の項目と、当該第１の項目のより詳細な操作内容を示す第２の項目とからなり、第１の項目が選択された場合に、第２の項目を当該第１の項目と併せて表示させているのに対して、引用発明は、そのように表示させていない点。
　
＜相違点３＞
　一致点における「当該項目が選択されている状態において、操作部による他のメニューへの移動操作を受け付けた場合に、当該他のメニューに含まれる複数の項目のうち前記選択された項目に対応する項目を選択した状態で表示させ」、「前記項目が選択されているメニュー、当該選択されているメニューに含まれる前記項目、及び当該選択されているメニューがいずれのメニューであるかを判別させる表示を、前記項目が選択されていないメニュー、当該選択されていないメニューに含まれる前記項目、及び当該選択されていないメニューがいずれのメニューであるかを判別させる表示よりも大きく表示させる」の「項目」が、本願補正発明では、機能の主な操作内容を示す「第１の項目」であるのに対して、引用発明では、「第１の項目」ではない点。
　
　
（ｄ）判断
　以下、相違点について検討する。
・＜相違点１＞について
　メニューをどのようにカテゴリー分けし、どのように配置するかは、必要に応じて当業者が適宜設計し得る設計的事項に過ぎず、引用発明において、Ａ／Ｖ系メニューを、音声系メニューと映像系メニューにカテゴリ分けし、それぞれを左側と右側に配置することで、相違点１に係る構成とすることは、当業者が容易になし得ることである。
　
・＜相違点２＞及び＜相違点３＞について
　メニュー画面の表示方法において、機能の操作内容を示す複数の項目を、機能の主な操作内容を示す第１の項目と、当該第１の項目のより詳細な操作内容を示す第２の項目とに分け、第１の項目が選択された場合に、第２の項目を当該第１の項目と併せて表示させることは、たとえば、特開２００６−３３７７６号公報（段落【０１０２】−【０１０４】，【図４】参照）、特開２００２−１４９１４４号公報（段落【００３８】，【図１１】参照）、特開平９−１６４２８号公報（段落【００５５】，【図６】参照）にみられるように周知な技術である。
　したがって、引用発明において、機能の操作内容を示す複数の項目に、前述の周知技術を適用し、相違点２及び相違点３に係る構成とすることは、当業者が容易に想到し得ることである。
　
　また、本願補正発明の効果も、引用発明及び周知技術から、当業者が予測可能な範囲内のものである。
　
　
（ｅ）まとめ
　そうすると、本願補正発明は、引用発明及び周知技術に基づいて当業者が容易に発明をすることができたものであるから、特許法第２９条第２項の規定により、特許出願の際独立して特許を受けることができないものである。
　したがって、本件補正は、特許法第１７条の２第６項において準用する同法第１２６条第５項の規定に違反するので、同法第１５９条第１項の規定において読み替えて準用する同法第５３条第１項の規定により却下すべきものである。
　
　
第３　本願発明
　上記のとおり、本件補正は却下されたので、本願の請求項６に係る発明（以下、「本願発明」という。）は、平成２２年８月１１日付け手続補正における特許請求の範囲の請求項６に記載された事項により特定される、以下のとおりのものである。
「装置が備える機能の操作内容を示す複数の項目を含む複数のメニューのうち一のメニューに含まれる複数の項目のうち前記機能の主な操作内容を示す第１の項目が選択された場合に、当該第１の項目のより詳細な操作内容を示す第２の項目を当該第１の項目と併せて表示させ、
　当該第１の項目が選択されている状態において、操作部による他のメニューへの移動操作を受け付けた場合に、当該他のメニューに含まれる複数の第１の項目のうち前記選択された第１の項目に対応する第１の項目を選択した状態で表示させることを特徴とする画面表示方法。」
　
　
第４　引用例
　原査定の拒絶の理由に引用された引用例、及びその記載事項は、前記「第２［理由］（ｂ）」に記載したとおりである。
　
　
第５　対比・判断
　本願発明は、本願補正発明の「左側に表示される、音声系の機能の操作内容を示す複数の項目を含む音声系メニュー、又は右側に表示される、映像系の機能の操作内容を示す複数の項目を含む映像系メニュー、に含まれる複数の項目」とした限定を、元の「装置が備える機能の操作内容を示す複数の項目を含む複数のメニューのうち一のメニューに含まれる複数の項目」に戻し、さらに、「前記第１の項目が選択されているメニュー、当該選択されているメニューに含まれる前記第１の項目、及び当該選択されているメニューが前記音声系メニューであるか前記映像系メニューであるかを判別させる表示を、前記第１の項目が選択されていないメニュー、当該選択されていないメニューに含まれる前記第１の項目、及び当該選択されていないメニューが前記音声系メニューであるか前記映像系メニューであるかを判別させる表示よりも大きく表示させる」という限定を省いたものである。
　そうすると、本願発明の構成要件をすべて含み、さらに限定したものに相当する本願補正発明が、前記「第２　補正の却下の決定」の［理由］に記載したとおり、引用発明及び周知技術に基づいて当業者が容易に発明をすることができたものであるから、本願発明も同様の理由により、引用発明及び周知技術に基づいて、当業者が容易に発明をすることができたものである。
　
　
第６　むすび
　以上のとおり、本願発明は、引用発明及び周知技術に基づいて、当業者が容易に発明をすることができたものであるから、特許法第２９条第２項の規定により、特許を受けることができない。
　したがって、その余の請求項について論及するまでもなく、本願は拒絶すべきものである。
　よって、結論のとおり審決する。